(57)【要約】【課題】受信信号と参照信号との相関値を平均化する回数を適切に制御する。【解決手段】平均化を行わないと、パスタイミング分布の相関レベルの下限値ＴＨ＿Ａが、パスが存在しないタイミング分布の相関レベルの上限値ＴＨ＿Ｂよりも大きいので、パスの相関値がノイズに埋もれてしまう。そこで、ＴＨ＿Ａ＞ＴＨ＿Ｂとなるまで、平均化を行えば充分なので、その時点で平均化を打ちきる。ＴＨ＿ＡおよびＴＨ＿Ｂは、パイロットチャネルのＲＳＣＰ、ＩＳＣＰおよび受信ベースバンド信号のＲＳＳＩから決定できる。【選択図】  図６
2004343542.tif 000002
【特許請求の範囲】
【請求項１】
受信べースバンド信号と参照符号系列との相関をとる相関検出手段と、
前記相関検出手段を平均化する平均化手段と、
前記平均化手段の出力に基づき、前記受信べースバンド信号におけるパスを検出するパス検出手段と、
受信べースバンド信号と同時に受信される同時受信信号の受信状況を測定する第一受信状況測定手段と、
測定された前記同時受信信号の受信状況に基づき、前記平均化手段による平均化の回数を制御する平均化制御手段と、
を備えた携帯情報通信端末。
【請求項２】
請求項１に記載の携帯情報通信端末であって、
前記同時受信信号は、パイロットチャネルである、
携帯情報通信端末。
【請求項３】
請求項１に記載の携帯情報通信端末であって、
前記同時受信信号の受信状況は、希望波受信電力（ＲＳＣＰ）および干渉波受信電力（ＩＳＣＰ）である、
携帯情報通信端末。
【請求項４】
請求項１ないし３のいずれか一項に記載の携帯情報通信端末であって、
前記平均化制御手段は、前記同時受信信号の受信状況に基づき、パスの存在するタイミングにおける相関値分布を推定する第一分布位置推定手段を有し、
前記平均化制御手段は、前記第一分布位置推定手段の出力に基づき、前記平均化手段による平均化の回数を制御する、
携帯情報通信端末。
【請求項５】
請求項４に記載の携帯情報通信端末であって、
前記第一分布位置推定手段は、前記同時受信信号における最大レベルのパスの受信状況に基づき、パスの存在するタイミングにおける相関値分布を推定する、
携帯情報通信端末。
【請求項６】
請求項４に記載の携帯情報通信端末であって、
前記第一分布位置推定手段は、前記同時受信信号における最小レベルのパスの受信状況に基づき、パスの存在するタイミングにおける相関値分布を推定する、
携帯情報通信端末。
【請求項７】
請求項４に記載の携帯情報通信端末であって、
前記同時受信信号が割り当てられるパスの数であるパス割当数が上限に達しているか否かを判定するパス割当数判定手段を備え、
前記第一分布位置推定手段は、
（ｉ）パス割当数が上限に達していないならば、前記同時受信信号における最大レベルのパスの受信状況を測定する、
（ｉｉ）パス割当数が上限に達しているならば、前記同時受信信号における最小レベルのパスの受信状況を測定する、
携帯情報通信端末。
【請求項８】
請求項４に記載の携帯情報通信端末であって、
前記第一分布位置推定手段は、パスの存在するタイミングにおける相関値分布の下限値を決定する、
携帯情報通信端末。
【請求項９】
請求項１ないし８のいずれか一項に記載の携帯情報通信端末であって、
前記受信べースバンド信号の受信状況を測定する第二受信状況測定手段を備え、
前記平均化制御手段は、測定された前記同時受信信号の受信状況および測定された前記受信べースバンド信号の受信状況に基づき、前記平均化手段による平均化の回数を制御する、
携帯情報通信端末。
【請求項１０】
請求項９に記載の携帯情報通信端末であって、
前記受信べースバンド信号の受信状況は、受信信号強度表示信号（ＲＳＳＩ）である、
携帯情報通信端末。
【請求項１１】
請求項９または１０に記載の携帯情報通信端末であって、
前記平均化制御手段は、前記受信べースバンド信号の受信状況に基づき、パスの存在しないタイミングにおける相関値分布を推定する第二分布位置推定手段を有し、
前記平均化制御手段は、前記第二分布位置推定手段の出力に基づき、前記平均化手段による平均化の回数を制御する、
携帯情報通信端末。
【請求項１２】
請求項１１に記載の携帯情報通信端末であって、
前記第二分布位置推定手段は、パスの存在しないタイミングにおける相関値分布の上限値を決定する、
携帯情報通信端末。
【請求項１３】
受信べースバンド信号と参照符号系列との相関をとる相関検出手段と、前記相関検出手段を平均化する平均化手段と、前記平均化手段の出力に基づき、前記受信べースバンド信号におけるパスを検出するパス検出手段と、受信べースバンド信号と同時に受信される同時受信信号の受信状況を測定する第一受信状況測定手段とを有する携帯情報通信端末における平均化制御処理をコンピュータに実行させるためのプログラムであって、
測定された前記同時受信信号の受信状況に基づき、前記平均化手段による平均化の回数を制御する平均化制御処理、
をコンピュータに実行させるためのプログラム。
【請求項１４】
受信べースバンド信号と参照符号系列との相関をとる相関検出手段と、前記相関検出手段を平均化する平均化手段と、前記平均化手段の出力に基づき、前記受信べースバンド信号におけるパスを検出するパス検出手段と、受信べースバンド信号と同時に受信される同時受信信号の受信状況を測定する第一受信状況測定手段とを有する携帯情報通信端末における平均化制御処理をコンピュータに実行させるためのプログラムを記録したコンピュータによって読み取り可能な記録媒体であって、
測定された前記同時受信信号の受信状況に基づき、前記平均化手段による平均化の回数を制御する平均化制御処理、
をコンピュータに実行させるためのプログラムを記録したコンピュータによって読み取り可能な記録媒体。
【発明の詳細な説明】
【０００１】
【発明の属する技術分野】
本発明は、無線伝送路におけるマルチパスの検出に関する。
【０００２】
【従来の技術】
ＤＳ−ＳＳ（直接拡散・スペクトラム拡散方式）では、無線伝送路におけるマルチパス（複数の伝達経路）を検出し、それらの受信信号をレイク（Ｒａｋｅ）合成することにより、フェージングの影響を軽減し、品質の高い通信を行うことが可能である。したがって、レイク合成するマルチパスを精度良く検出することは直接スペクトラム拡散無線通信の受信装置にとっては重要な機能である。
【０００３】
マルチパスを検出するためには、受信信号と参照信号との相関演算が必要である。また、マルチパスの検出精度を高めるために、相関演算を複数回行い、平均化することが一般的に行われている。これらの演算処理は、受信処理全体からみて比較的規模が大きい。そこで、平均化回数（動作時間）を必要最小限に抑えることが受信装置の消費電力を低減する上で重要である。
【０００４】
受信信号と参照信号との相関演算を行う相関器の出力レベルに応じて平均化回数を決定することにより、平均化回数を抑える方法は、特許文献１、特許文献２に記載がある。また、特許文献３には、無駄な累積加算を省略するといった、動作時間を抑える方法が記載されている。
【０００５】
【特許文献１】
特開２００２−２６７６８号公報（要約）
【特許文献２】
特開２００１−２６７９５８号公報（要約）
【特許文献３】
特開２００１−１３６１０１号公報（要約）
【発明が解決しようとする課題】
しかしながら、上記のような相関器の出力レベルを用いて平均化回数を決定する場合、以下のような問題がある。
【０００６】
まず、相関器の出力は複素相関値であり、同相加算による平均化が好ましい。しかし、同相加算による平均化は困難である。そこで、相関器の出力を電力あるいは振幅に変換した後で平均化する。しかし、同相加算による平均化に比べて、レベルの測定精度が劣る。このように精度が劣化した相関器の出力を用いて、平均化回数を決定することになるので、平均化回数を適正に決定できない。
【０００７】
さらに、相関器の出力レベルは、過去の受信状況に基づき決定されるものであり、現在の受信状況に基づくものではない。よって、現在の受信状況に応じた平均化回数が導出できない。
【０００８】
また、実際の受信装置では、フィンガの数が有限である。つまり、割り当て可能なパスの数は限られているので、それ以上の数のパスを検出することは無駄な処理を行うこととなる。しかし、従来の技術では、割り当て可能なフィンガ数による、平均化回数の制御が行われておらず、非効率である。
【０００９】
そこで、本発明は、受信信号と参照信号との相関値を平均化する回数を適切に制御することを課題とする。
【００１０】
【課題を解決するための手段】
本発明は携帯情報通信端末に関する。本発明に係る携帯情報通信端末は、相関検出手段、平均化手段、パス検出手段、第一受信状況測定手段、平均化制御手段を備える。
【００１１】
相関検出手段は、受信べースバンド信号と参照符号系列との相関をとる。平均化手段は、相関検出手段を平均化する。パス検出手段は、平均化手段の出力に基づき、受信べースバンド信号におけるパスを検出する。第一受信状況測定手段は、受信べースバンド信号と同時に受信される同時受信信号の受信状況を測定する。平均化制御手段は、測定された同時受信信号の受信状況に基づき、平均化手段による平均化の回数を制御する。
【００１２】
なお、本発明に係る携帯情報通信端末は、さらに第二受信状況測定手段を備えることが好ましい。
【００１３】
第二受信状況測定手段は、受信べースバンド信号の受信状況を測定する。しかも、平均化制御手段は、測定された同時受信信号の受信状況および測定された受信べースバンド信号の受信状況に基づき、平均化手段による平均化の回数を制御する。
【００１４】
【発明の実施の形態】
以下、本発明の実施の形態を図面を参照して説明する。
【００１５】
図１は、本発明の実施形態にかかる携帯情報通信端末１の構成を示す機能ブロック図である。携帯情報通信端末１は、ＲＦ受信部１０、マルチパスタイミング検出部１２、フィンガ部１４、レベル測定部（第一受信状況測定手段）１６、総受信レベル測定部（第二受信状況測定手段）１７、平均化制御部１８、パス割り当て制御部２０を備える。図１に示した各ブロックは、携帯情報通信端末１の受信処理を行うためのものである。送信処理を行う部分、利用者とのインタフェースの部分などについては、本発明の実施形態とは直接には関係が無いので図示省略している。
【００１６】
ＲＦ受信部１０は、受信したＲＦ（ｒａｄｉｏ  ｆｒｅｑｕｅｎｃｙ）信号をダウンコンバートし、所望の受信ベースバンド信号に変換する。
【００１７】
マルチパスタイミング検出部１２は、ベースバンド信号における複数のパスを検出する。マルチパスタイミング検出部１２は、相関検出部１２２、プロファイル平均化部１２４、パス検出部１２６を有する。
【００１８】
相関検出部１２２は、受信ベースバンド信号と参照符号系列との相関をとる。参照符号系列は、例えば、送受双方で既知のパイロット信号である。受信ベースバンド信号をｒ（ｔ）、参照符号系列をｃ（ｋ）（ｋ＝０，１，…）とすると、相関検出部１２２は、ある時間偏移τにおけるｒ（ｔ）と、ある参照符号位相φにおけるｃ（ｋ）の相互相関ｃｏｒｒ（φ，τ）を下記の式のように求める。ただし、ｃ（ｋ）は共通パイロットチャネル（ＣＰＩＣＨ）の送信信号を示しており、既知のシンボルパターンと既知の拡散符号が合成されている。
【００１９】
【数１】
2004343542.tif 000003
そして、相関検出部１２２は、相互相関ｃｏｒｒ（φ，τ）に基づき、相互相関ｃｏｒｒ（φ，τ）の振幅ｃｏｒｒａｂｓ（φ，τ）を出力する。振幅ｃｏｒｒａｂｓ（φ，τ）は下記の式のようなものである。
【００２０】
【数２】
2004343542.tif 000004
相関検出部１２２の構成を図２に示す。相関検出部１２２は、初期遅延器１２２ａ、遅延器１２２ｂ、乗算器１２２ｃ、加算器１２２ｄ、除算器１２２ｅ、振幅検出器１２２ｆを有する。
【００２１】
初期遅延器１２２ａは、受信ベースバンド信号ｒ（ｔ）を、Ｔｃｈｉｐだけ遅延させる。遅延器１２２ｂは、初期遅延器１２２ａの出力をＴｃｈｉｐづつ遅延させる。乗算器１２２ｃは、初期遅延器１２２ａおよび遅延器１２２ｂの出力を参照符号系列ｃ（ｋ）と乗算する。加算器１２２ｄは、乗算器１２２ｃの出力を合計する。除算器１２２ｅは、加算器１２２ｄの出力をＮｃｏｈｅｒｅｎｔで割る。これにより、相互相関ｃｏｒｒ（φ，τ）が求められる。振幅検出器１２２ｆは、加算器１２２ｄの出力である相互相関ｃｏｒｒ（φ，τ）の振幅を求める。
【００２２】
このように相関をとった場合、雑音や干渉がなければ、パスの存在するタイミング（時間偏移）における相関レベル（相関検出部１２２の出力）が、パスの存在しないタイミングにおける相関レベルよりも明らかに大きくなる。よって、パスの存在するタイミングを検出することができる。
【００２３】
しかし、雑音や干渉が大きいことがあり、かかる場合は、図３に示すように、パスの存在するタイミングにおける相関レベルは、パスの存在しないタイミングにおける相関レベルよりも明らかに大きいとはいえない。むしろ、パスの存在しないタイミングにおける相関レベルに埋もれている。
【００２４】
プロファイル平均化部１２４は、相関検出部１２２の出力を平均化することにより、パスの存在するタイミング（時間偏移）における相関レベル（相関検出部１２２の出力）が、パスの存在しないタイミングにおける相関レベルよりも明らかに大きくなるようにする。
【００２５】
プロファイル平均化部１２４は、相関検出部１２２の出力を時間偏移τ別に平均化したものを平均化相関プロファイルとして出力する。Ｎａｖｅ回平均化が行われた場合の平均化相関プロファイルｐｒｏｆｉｌｅ（τ）は、下記の式のようなものである。
【００２６】
【数３】
2004343542.tif 000005
相関検出部１２２の出力を平均化した場合、ノイズは充分に長い時間、平均をとれば、パスの存在するタイミングにおける相関レベルが、パスの存在しないタイミングにおける相関レベルよりも明らかに大きくなる（図４参照）。
【００２７】
パス検出部１２６は、プロファイル平均化部１２４の出力する平均化相関プロファイルから、複数のパスタイミングとパスレベルを出力する。例えば、各時間偏移τごとに、平均化相関プロファイルと、所定の閾値とを比較する。平均化相関プロファイルが所定の閾値を超えていれば、その平均化相関プロファイルのτをパスタイミングとする。なお、パスタイミングが検出されると、それをもとに複数のパスがレイク（Ｒａｋｅ）合成される。
【００２８】
フィンガ部１４は、複数のパスを受信するための、複数の能動相関器から構成されており、通信中は常時動作している。フィンガ部１４では、音声やデータ等の情報を伝送する通信チャネルと同時に、送信側との同期を取るためのパイロットチャネル（ＣＰＩＣＨ）を受信している。パイロットチャネルは、受信ベースバンド信号と同時に受信されているといえる。パイロットチャネルは、既知の信号パターンで送信されており、受信側ではパイロットチャネルを逆拡散することによって送受の位相差や、受信レベルを検出することが可能である。
【００２９】
本実施形態では、パイロットチャネルを逆拡散し、その結果から受信レベルを測定することで、マルチパスタイミング検出処理の平均化制御に用いる。
【００３０】
それぞれの能動相関器からは、Ｔｃｈｉｐ×ＳＦ時間ごとに逆拡散結果が出力される。ｉ番目に出力される能動相関器ｊのパイロットチャネルの逆拡散結果（逆拡散シンボル）ｐｉｌｏｔ＿ｄｅｓｐｒｅａｄは、下記の式のようなものである。
【００３１】
【数４】
2004343542.tif 000006
上記の逆拡散結果が、フィンガ部１４から出力され、レベル測定部１６に入力される。フィンガ部１４は、相関検出部１２２とは異なり、一つの能動相関器ｊは、一つの時間偏差τｊについてのみ相関演算を行う。また、上記の逆拡散シンボルは、平均化制御部１８による平均化制御に関わらず、常時出力されているものとする。
【００３２】
なお、フィンガ部１４の出力は、複数のパスのレイク（Ｒａｋｅ）合成に使用される。レイク（Ｒａｋｅ）合成後のデータは、誤り訂正、さらにはアプリケーション（音声、画像データなど）に使用される。
【００３３】
レベル測定部（第一受信状況測定手段）１６は、フィンガ部１４から出力されるパイロットチャネルの逆拡散結果を、同相加算平均化し、電力化する。このように、複数の逆拡散結果を同相加算平均化することにより、高精度なＲＳＣＰ（Ｒｅｃｅｉｖｅｄ  Ｓｉｇｎａｌ  Ｃｏｄｅ  Ｐｏｗｅｒ：希望波受信電力）およびＩＳＣＰ（Ｉｎｔｅｒｆｅｒｅｎｃｅ  Ｓｉｇｎａｌ  Ｃｏｄｅ  Ｐｏｗｅｒ：干渉波受信電力）の測定を行うことができる。レベル測定部１６は、フィンガ毎のＲＳＣＰおよびＩＳＣＰを測定する。フィンガｊで受信しているパスのＲＳＣＰおよびＩＳＣＰは下記の式の通りである。
【００３４】
【数５】
2004343542.tif 000007
このように、逆拡散結果をさらにＮｍｅｓ個、同相加算して平均化することにより高精度な測定値を得ることが可能である。
【００３５】
総受信レベル測定部（第二受信状況測定手段）１７は、受信ベースバンド信号の全電力を測定することにより、総受信レベルすなわち受信信号強度表示信号（ＲＳＳＩ：Ｒｅｃｅｉｖｅｄ  Ｓｉｇｎａｌ  Ｓｔｒｅｎｇｔｈ  Ｉｎｄｉｃａｔｏｒ）を測定する。すなわち、受信信号ｒ（ｔ）を電力化し、平均化してＲＳＳＩを得る。ＲＳＳＩは、下記の式の通りである。
【００３６】
【数６】
2004343542.tif 000008
平均化制御部１８は、レベル測定部（第一受信状況測定手段）１６の測定結果および総受信レベル測定部（第二受信状況測定手段）１７の測定結果に基づき、プロファイル平均化部１２４による平均化の回数を制御する。
【００３７】
平均化制御部１８の構成を図５に示す。平均化制御部１８は、第一統計量決定部１８２ａ、第二統計量決定部１８２ｂ、第一積算部１８４ａ、第二積算部１８４ｂ、パス割当数判定部１８５、第一分布位置推定部１８６ａ、第二分布位置推定部１８６ｂ、平均化判定部１８８を有する。
【００３８】
第一統計量決定部１８２ａは、レベル測定部１６からＲＳＣＰおよびＩＳＣＰを受け、パスの存在する時間偏移における相関値分布の平均ＰＡ、分散ＰＶを決定する。ＰＡ、ＰＶは下記の式の通りである。
【００３９】
【数７】
2004343542.tif 000009
なお、上記の式の係数はＲＳＣＰ／ＩＳＣＰにより異なり、下記の表１、表２の通りである。
【００４０】
【表１】
2004343542.tif 000010
【００４１】
【表２】
2004343542.tif 000011
第二統計量決定部１８２ｂは、総受信レベル測定部１７からＲＳＳＩを受け、パスの存在しない時間偏移における相関値分布の平均ＮＡ、分散ＮＶを決定する。ＮＡ、ＮＶは下記の式の通りである。
【００４２】
【数８】
2004343542.tif 000012
なお、上記の式の係数は下記の表３の通りである。
【００４３】
【表３】
2004343542.tif 000013
第一積算部１８４ａは、パスの存在する時間偏移における相関値分布の平均ＰＡ、分散ＰＶを下記の式のように積算する。第二積算部１８４ｂは、パスの存在しない時間偏移における相関値分布の平均ＮＡ、分散ＮＶを下記の式のように積算する。
【００４４】
【数９】
2004343542.tif 000014
例えば、ＰＡ＿ａｄｄ（１）  ＝  ＰＡ（１）であり、ＰＡ＿ａｄｄ（２）  ＝  ＰＡ＿ａｄｄ（１）＋ＰＡ（２）  ＝  ＰＡ（１）＋ＰＡ（２）であり、ＰＡ＿ａｄｄ（３）  ＝  ＰＡ＿ａｄｄ（２）＋ＰＡ（３）  ＝  ＰＡ（１）＋ＰＡ（２）＋ＰＡ（３）である。
【００４５】
このような積算結果ＰＡ＿ａｄｄ（Ｎ）、ＰＶ＿ａｄｄ（Ｎ）、ＮＡ＿ａｄｄ（Ｎ）、ＮＶ＿ａｄｄ（Ｎ）、は、Ｎ回平均化後の、平均、分散を示す。相関の無い（共分散が０な）ランダムな系列をそれぞれ加算した場合、加算後の系列の平均と分散は、加算前のそれぞれの系列の平均、分散の和となるからである。
【００４６】
パス割当数判定部１８５は、フィンガ部１４からパイロットチャネルに割り当てられたパスの数を受け、割り当てられたパスの数が、割り当て可能なパス数の上限に達しているか否かを判定する。すなわち、割り当て可能なパス数の上限に達しているならば、全てのフィンガにパスが割り当てられていることになる。
【００４７】
第一分布位置推定部１８６ａは、Ｎ回平均化後の、パスの存在する時間偏移における相関値分布の平均ＰＡ＿ａｄｄ（Ｎ）、分散ＰＶ＿ａｄｄ（Ｎ）に基づき、パスの存在する時間偏移における相関値分布（具体的には、下限値ＴＨ＿Ａ）を推定する。
【００４８】
パイロットチャネルに割り当てられたパスの数が、割り当て可能なパス数の上限に達していない場合は、下記の式のようにしてＴＨ＿Ａを決定する。
【００４９】
【数１０】
2004343542.tif 000015
ただし、α、βは下記の表に示す通りである。
【００５０】
【表４】
2004343542.tif 000016
パイロットチャネルに割り当てられたパスの数が、割り当て可能なパス数の上限に達している場合は、下記の式のようにしてＴＨ＿Ａを決定する。α、βは上記と同様である。
【００５１】
【数１１】
2004343542.tif 000017
第二分布位置推定部１８６ｂは、Ｎ回平均化後の、パスの存在しない時間偏移における相関値分布の平均ＮＡ＿ａｄｄ（Ｎ）、分散ＮＶ＿ａｄｄ（Ｎ）に基づき、パスの存在する時間偏移における相関値分布（具体的には、上限値ＴＨ＿Ｂ）を推定する。
【００５２】
下記の式のようにしてＴＨ＿Ｂを決定する。α、βは上記と同様である。
【００５３】
【数１２】
2004343542.tif 000018
平均化判定部１８８は、第一分布位置推定部１８６ａからＴＨ＿Ａを、第二分布位置推定部１８６ｂからＴＨ＿Ｂを受ける。そして、ＴＨ＿Ａ＞ＴＨ＿Ｂ（あるいは、ＴＨ＿Ａ≧ＴＨ＿Ｂ）ならば、プロファイル平均化部１２４による平均化を完了させる。これは、ＴＨ＿Ａ＞ＴＨ＿Ｂならば、プロファイル平均化部１２４の平均化によって、パスの存在するタイミングにおける相関レベルが、パスの存在しないタイミングにおける相関レベルよりも明らかに大きくなるからである。
【００５４】
なぜ、ＴＨ＿Ａ＞ＴＨ＿Ｂならば、そのようなことがいえるのかを図６を参照して説明する。平均化を全く行わない（あるいは回数は不充分な）場合は、パスの存在するタイミングにおける相関レベルおよびパスの存在しないタイミングにおける相関レベルの確立分布は図６（Ａ）に示すようなものとなる。すなわち、パスの存在するタイミングにおける相関レベルは、パスの存在しないタイミングにおける相関レベルよりも高いことが多いものの、パスの存在するタイミングにおける相関レベルがパスの存在しないタイミングにおける相関レベルを下回ることがある。これは、パスの存在するタイミングにおける相関レベルの下限値ＴＨ＿Ａ＜パスの存在しないタイミングにおける相関レベルの上限値ＴＨ＿Ｂということである。この場合、図３に示すように、パスの存在するタイミングにおける相関レベルが埋もれてしまう。
【００５５】
そこで、平均化を行う。すると、パスの存在しないタイミングにおける相関レベルが、パスの存在するタイミングにおける相関レベルに比べて、小さくなっていく。平均化を繰り返すと、やがて、ＴＨ＿Ａ＜ＴＨ＿Ｂの状態から、ＴＨ＿Ａ＝ＴＨ＿Ｂの状態（図６（Ｂ）参照）、そしてＴＨ＿Ａ＞ＴＨ＿Ｂの状態（図６（Ｃ）参照）となる。ＴＨ＿Ａ＞ＴＨ＿Ｂであれば、パスの存在するタイミングにおける相関レベルがパスの存在しないタイミングにおける相関レベルを下回ることは無い。よって、図４に示すように、パスの存在するタイミングにおける相関レベルが明らかになる。
【００５６】
なお、、パイロットチャネルに割り当てられたパスの数が、割り当て可能なパス数の上限に達しているか否かによって、ＴＨ＿ＡおよびＴＨ＿Ｂを求めるフィンガ番号が変わるのは以下の理由による。
【００５７】
先に述べたように、パスタイミングが検出されると、それをもとに、複数のパスがレイク（Ｒａｋｅ）合成される。レイク合成では、複数のパスについて信号を合成することで、パス・ダイバーシチ効果によるレイク合成利得が得られ、受信品質を高めることができる。
【００５８】
ここで、パイロットチャネルに割り当てられたパスの数が、割り当て可能なパス数の上限に達していない場合、マルチパスの中で相対的に低いレベルのパスについてレイク合成を行う事は、レイク合成利得が低く非効率的である。よって、ＰＡ＿ａｄｄが最大であるフィンガ番号についてＴＨ＿Ａを求める。これは、マルチパスの中で相対的に最高レベルのパスが、埋もれずに検出できれば、さらに平均化を行わないことを意味する。これにより、平均化の回数を抑制できる。しかも、マルチパスの中で相対的に最高レベルのパスだけでもレイク合成が行えれば、レイク合成利得が高いので効率的にレイク合成を行える。
【００５９】
一方、パイロットチャネルに割り当てられたパスの数が、割り当て可能なパス数の上限に達している場合、割り当てられているパスの内の最低レベルのものより、さらに低いレベルのパスについて検出を行う事は、無駄である。よって、ＰＡ＿ａｄｄが最小であるフィンガ番号についてＴＨ＿Ａを求める。これは、マルチパスの中で相対的に最低レベルのパスが、埋もれずに検出できれば、さらに平均化を行わないことを意味する。これにより、平均化の回数を抑制できる。
【００６０】
図１に戻り、パス割り当て制御部２０は、パス検出部１２６から出力されたパスタイミングとパスレベル、および、すでにフィンガに割り当てられているパスの情報をもとに、受信品質が最大になるように、フィンガで受信すべきパスを決定し、フィンガ部１４へのパスの割り当て制御を行う。
【００６１】
次に、本発明の実施形態の動作を説明する。図７は、本発明の実施形態における平均化制御部１８の動作を示すフローチャートである。図８は、本発明の実施形態におけるタイミングチャートである。
【００６２】
まず、携帯情報通信端末１のＲＦ受信部１０は、ＲＦ信号を受信し、ダウンコンバートし、所望の受信ベースバンド信号に変換する。また、受信ベースバンド信号は、フィンガ部１４に送られ、フィンガ部１４によりパイロットチャネルが逆拡散される。
【００６３】
受信ベースバンド信号は、相関検出部１２２で参照符号系列と相関をとられ、相関レベルはプロファイル平均化部１２４により平均化される（Ｔ１０：図８参照）。同じタイミングで、フィンガ部１４の出力について、レベル測定部１６によりＲＳＣＰおよびＩＳＣＰが測定される（Ｔ１０）。さらに、同じタイミングで、総受信レベル測定部１７により、受信ベースバンド信号についてＲＳＳＩが測定される（Ｔ１０）。
【００６４】
ここで、平均化制御部１８は、レベル測定部１６により測定されたＲＳＣＰおよびＩＳＣＰと、総受信レベル測定部１７により測定されたＲＳＳＩに基づき、平均化制御を行う（Ｔ１２）。なお、平均化制御部１８は、相関検出部１２２で参照符号系列と相関をとられている受信ベースバンド信号およびそれと同時に受信されているパイロットチャネルに基づき平均化制御を行うことに留意されたい。
【００６５】
図７を参照して、まず、積算量ＰＡ＿ａｄｄ（Ｎ）、ＰＶ＿ａｄｄ（Ｎ）、ＮＡ＿ａｄｄ（Ｎ）、ＮＶ＿ａｄｄ（Ｎ）を初期化、すなわち０とする（Ｓ１０）。次に、第一統計量決定部１８２ａがＲＳＣＰおよびＩＳＣＰを取得し（Ｓ１２ａ）、第二統計量決定部１８２ｂがＲＳＳＩを取得する（Ｓ１２ｂ）。そして、第一統計量決定部１８２ａがパスの存在する時間偏移における相関値分布の平均ＰＡ、分散ＰＶを決定し（Ｓ１４ａ）、第二統計量決定部１８２ｂがパスの存在しない時間偏移における相関値分布の平均ＮＡ、分散ＮＶを決定する（Ｓ１４ｂ）。さらに、第一積算部１８４ａがＰＡ、ＰＶを積算してＰＡ＿ａｄｄ、ＰＶ＿ａｄｄを得る（Ｓ１６ａ）。第二積算部１８４ｂが、ＮＡ、ＮＶを積算してＮＡ＿ａｄｄ、ＮＶ＿ａｄｄを得る（Ｓ１６ｂ）。
【００６６】
ここで、パス割当数判定部１８５により、パイロットチャネルに割り当てられたパスの数が、割り当て可能なパス数の上限に達しているか否かを判定される（Ｓ１８）。すなわち、全てのフィンガにパスが割り当てられているか否かを判定する。
【００６７】
パイロットチャネルに割り当てられたパスの数が、割り当て可能なパス数の上限に達していなければ（Ｓ１８、Ｎｏ）、第一分布位置推定部１８６ａ（第二分布位置推定部１８６ｂ）は、ＰＡ＿ａｄｄが最大であるフィンガ番号について、ＴＨ＿Ａ（ＴＨ＿Ｂ）を決定する（Ｓ２０ａ）。
【００６８】
パイロットチャネルに割り当てられたパスの数が、割り当て可能なパス数の上限に達していれば（Ｓ１８、Ｙｅｓ）、第一分布位置推定部１８６ａ（第二分布位置推定部１８６ｂ）は、ＰＡ＿ａｄｄが最小であるフィンガ番号について、ＴＨ＿Ａ（ＴＨ＿Ｂ）を決定する（Ｓ２０ｂ）。
【００６９】
そして、平均化判定部１８８が、ＴＨ＿Ａ＞ＴＨ＿Ｂであるか否かを判定する（Ｓ２２）。ＴＨ＿Ａ＞ＴＨ＿Ｂでなければ（Ｓ２２、Ｎｏ）、次回の相関検出部１２２およびプロファイル平均化部１２４の動作完了まで待機する（Ｓ２４）。
【００７０】
ここで、図８を参照し、Ｔ１２においては、ＴＨ＿Ａ≦ＴＨ＿Ｂなので、次回の相関検出部１２２およびプロファイル平均化部１２４の動作タイミング（Ｔ２０）の完了まで、平均化制御部１８は待機する。相関検出部１２２およびプロファイル平均化部１２４の動作タイミング（Ｔ２０）と同じタイミングでレベル測定部１６および総受信レベル測定部１７も動作する（Ｔ２１）。
【００７１】
そこで、平均化制御部１８は、レベル測定部１６により測定されたＲＳＣＰおよびＩＳＣＰと、総受信レベル測定部１７により測定されたＲＳＳＩに基づき、平均化制御を行う（Ｔ２２）。このときは、図７を参照して、第一統計量決定部１８２ａによるＲＳＣＰおよびＩＳＣＰの取得（Ｓ１２ａ）、および、第二統計量決定部１８２ｂによるＲＳＳＩの取得（Ｓ１２ｂ）が行われる。そして、先に説明したものと同様な処理が行われ、ＴＨ＿Ａ＞ＴＨ＿Ｂでないので（Ｓ２２、Ｎｏ）、また次回の相関検出部１２２およびプロファイル平均化部１２４の動作完了まで待機する（Ｓ２４）。
【００７２】
このようにして、プロファイル平均化部１２４の平均化が繰り返される。
【００７３】
そして、Ｎ回目の平均化（Ｔ３０）によって、ＴＨ＿Ａ＞ＴＨ＿Ｂになったとする。すると、図７を参照して、ＴＨ＿Ａ＞ＴＨ＿Ｂでなので（Ｓ２２、Ｙｅｓ）、プロファイル平均化部１２４の平均化を完了させ（Ｎ＋１回目の平均化は行わない）、パス検出部１２６により、複数のパスタイミングとパスレベルを出力させる（Ｓ２６）。
【００７４】
本発明の実施形態によれば、受信べースバンド信号と同時に受信されるパイロットチャネルの受信状況に基づき平均化の回数を制御するため、現在の受信状況に基づき平均化の回数を制御できる。しかも、平均化の回数の制御に、相関検出部１２２の出力を使用するわけではないため、相関検出部１２２の出力の精度の影響を受けない。
【００７５】
また、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分（例えば、平均化制御部１８の各部）を実現するプログラムを記録したメディアを読み取らせて、ハードディスク、フラッシュメモリなどにインストールする。このような方法でも、上記の機能を実現できる。
【図面の簡単な説明】
【図１】本発明の実施形態にかかる携帯情報通信端末１の構成を示す機能ブロック図である。
【図２】相関検出部１２２の構成を示す図である。
【図３】パスの存在する（しない）タイミングにおける相関レベルを示す図である。
【図４】パスの存在する（しない）タイミングにおける相関レベルを平均化したものを示す図である。
【図５】平均化制御部１８の構成を示す図である。
【図６】パスの存在するタイミングにおける相関レベルおよびパスの存在しないタイミングにおける相関レベルの確立分布を示す図であり、ＴＨ＿Ａ＜ＴＨ＿Ｂ（図６（Ａ））、ＴＨ＿Ａ＝ＴＨ＿Ｂ（図６（Ｂ））、ＴＨ＿Ａ＞ＴＨ＿Ｂ（図６（Ｃ））のときの状態を示す。
【図７】本発明の実施形態における平均化制御部１８の動作を示すフローチャートである。
【図８】本発明の実施形態におけるタイミングチャートである。
【符号の説明】
１  携帯情報通信端末
１２  マルチパスタイミング検出部
１２２  相関検出部
１２４  プロファイル平均化部
１２６  パス検出部
１４  フィンガ部
１６  レベル測定部（第一受信状況測定手段）
１７  総受信レベル測定部（第二受信状況測定手段）
１８  平均化制御部
１８２ａ  第一統計量決定部
１８２ｂ  第二統計量決定部
１８４ａ  第一積算部
１８４ｂ  第二積算部
１８５  パス割当数判定部
１８６ａ  第一分布位置推定部
１８６ｂ  第二分布位置推定部
１８８  平均化判定部
【図１】
2004343542.tif 000019
【図２】
2004343542.tif 000020
【図３】
2004343542.tif 000021
【図４】
2004343542.tif 000022
【図５】
2004343542.tif 000023
【図６】
2004343542.tif 000024
【図７】
2004343542.tif 000025
【図８】
2004343542.tif 000026